(57)【要約】【課題】  読み取り速度（原稿の静止時間）を増やして再読込を行うことにより、正しい動作を保証でき、失敗による無駄も防止できる。【解決手段】  原稿にＲＦ−ＩＤのタグが埋め込まれていて、自動スキャン時に原稿のイメージをスキャンすると共にＲＦ−ＩＤのタグ情報にアクセス可能な装置において、ＲＦ−ＩＤタグへの読み出し／書き込み時に失敗した場合にＡＤＦによる読み取り速度を遅くして再読込を行うことによりリカバー処理を行う。【選択図】        図２
2006173902.tif 000002
【特許請求の範囲】
【請求項１】
原稿の画像を読み込むための画像読み取り手段と、
複数枚の前記原稿を自動的に前記画像読み取り手段で読み込ませるための自動原稿供給手段と、
一度読み取った原稿を再度読み込み位置まで供給するための原稿再供給手段と、
原稿に付加されている非接触ＩＣの情報を読み書きするための、非接触情報アクセス手段と、
前記非接触情報アクセス手段による非接触ＩＣへの読み書き処理が完了したか否かを判断するアクセス処理完了判断手段と、
前記自動原稿供給手段による原稿供給速度を制御する速度制御手段とを有し、
所定のタイミングにおいて前記アクセス処理完了判断手段による非接触ＩＣへの読み書き処理が未完了の場合に前記速度制御手段によって原稿供給速度を低下させた後、前記原稿再供給手段によって原稿を再供給し、前記非接触情報アクセス手段により再アクセスするように構成したことを特徴とする情報読み取り装置。
【請求項２】
請求項１において、前記再アクセスを所定回数繰り返しても前記アクセス処理完了判断手段により完了と判断されない場合はエラーメッセージを出力することを特徴とする情報読み取り装置。
【請求項３】
請求項１において、前記速度制御手段は、原稿読み取りのための原稿静止時間を制御することを特徴とする情報読み取り装置。
【請求項４】
請求項１において、前記速度制御手段は、原稿の搬送速度を制御することを特徴とする情報読み取り装置。
【発明の詳細な説明】
【技術分野】
【０００１】
本発明は、ＲＦ−ＩＤタグ（ＩＣタグ／非接触ＩＣ）を内蔵する原稿に対して原稿のイメージ情報を読み取ると共に、前記ＲＦ−ＩＤタグに記憶された情報の読み書きを行う機能を有する情報読み取り装置に関するものである。
【背景技術】
【０００２】
近年、非接触で情報を送受信可能なＲＦ−ＩＤ（Ｒａｄｉｏ  Ｆｒｅｑｕｅｎｃｙ  Ｉｄｅｎｔｉｆｉｃａｔｉｏｎ）と呼ばれる自動認識システムが開発されている。このＲＦ−ＩＤシステムは、アンテナ及び不揮発性記憶素子を含む電子回路を搭載し情報を保持するＲＦ−ＩＤタグとＲＦ−ＩＤタグをコントロールするＲＦ−ＩＤリーダ／ライタとから構成される。
【０００３】
更に、上記ＲＦ−ＩＤタグをカードやラベルなどの記録媒体に内蔵し、記録装置にＲＦ−ＩＤタグへのリード／ライト機能を搭載することにより、記録媒体表面への記録動作と、ＲＦ−ＩＤタグへの書き込み動作を一括して行う記録媒体表面への記録と同時に情報の書き込みを行うラベルプリンタ等の記録装置も提案されている。
【０００４】
ＲＦ−ＩＤタグにはアンテナのサイズの違いや、使用されているＩＣチップの違いなど、多数の種類が存在し、通信可能範囲や所要書き込み時間が異なる。さらに、周囲の電波状況、金属等電波状態に影響を及ぼす物質の有無などにより、通信環境が変わるため、所要書き込み時間は変化する。このため、決められた搬送速度で上記記録媒体に内蔵されたＲＦ−ＩＤタグへの書き込み動作を行った場合、書き込み不良が頻発するケースが生じる等の問題があった。
【０００５】
これを解決するために、例えば特許文献１にはＲＦ−ＩＤタグに対する書き込みが失敗したと判断した場合、次の記録及び書き込み動作時における記録媒体の搬送速度を前動作時の搬送速度よりも低速に再設定するものが記載されている。
【特許文献１】特開２００３−２０８５７３号公報
【発明の開示】
【発明が解決しようとする課題】
【０００６】
一方、今後は記録媒体ではなく原稿側にもＲＦ−ＩＤタグを内蔵し、これらの原稿の光学的情報読み取りと同時にＲＦ−ＩＤタグに対して情報の読み書きを行うことが考えられる。このため、上記のように記録媒体ではなく、原稿に内蔵されたＲＦ−ＩＤタグに対する情報の読み書きが失敗した場合の解決策が必要となる。
【０００７】
本発明は、以上の点に着目してなされたもので、読み取り速度（原稿の静止時間）を増やして再読込を行うことにより、正しい動作を保証でき、失敗による無駄も防止できる情報読み取り装置を提供することを目的とする。
【課題を解決するための手段】
【０００８】
上記課題を解決するために本発明の情報読み取り装置は以下の手段を有する。
【０００９】
（１）原稿の画像を読み込むための画像読み取り手段と、
複数枚の前記原稿を自動的に前記画像読み取り手段で読み込ませるための自動原稿供給手段と、
一度読み取った原稿を再度読み込み位置まで供給するための原稿再供給手段と、
原稿に付加されている非接触ＩＣの情報を読み書きするための、非接触情報アクセス手段と、
前記非接触情報アクセス手段による非接触ＩＣへの読み書き処理が完了したか否かを判断するアクセス処理完了判断手段と、
前記自動原稿供給手段による原稿供給速度を制御する速度制御手段とを有し、
所定のタイミングにおいて前記アクセス処理完了判断手段による非接触ＩＣへの読み書き処理が未完了の場合に前記速度制御手段によって原稿供給速度を低下させた後、前記原稿再供給手段によって原稿を再供給し、前記非接触情報アクセス手段により再アクセスするように構成したことを特徴とする。
【００１０】
（２）前記再アクセスを所定回数繰り返しても前記アクセス処理完了判断手段により完了と判断されない場合はエラーメッセージを出力することを特徴とする。
【００１１】
（３）前記速度制御手段は、原稿読み取りのための原稿静止時間を制御することを特徴とする。
【００１２】
（４）前記速度制御手段は、原稿の搬送速度を制御することを特徴とする。
【発明の効果】
【００１３】
本発明によれば、自動原稿読み取り装置による原稿スキャンと同時に原稿に付加されたＩＣタグの情報を利用する際、通常の読み取り速度でＩＣタグへのアクセスが失敗した場合でも、読み取り速度（原稿の静止時間）を増やして再読込を行うことにより、正しい動作を保証でき、失敗による無駄も防止できる。
【発明を実施するための最良の形態】
【００１４】
以下に添付図面を参照して、本発明をレーザビーム方式のカラーマルチファンクションプリンタに適用する場合の好適な実施例を詳細に説明する。
【実施例１】
【００１５】
以下、本発明の画像処理システムの第１の実施の形態について、添付の図面を参照しつつ詳しく説明する。
【００１６】
図１はシステムの概略図である。
【００１７】
１０１は複写機に読み込み、複写するための原稿である。１０２はＲＦ−ＩＤタグ（ＩＣタグ）と呼ばれる非接触ＩＣであり、内部に無線機能とメモリ部をもち、メモリには情報を記憶できるものである。１０３はサーバであり、１０１の原稿の原本となる電子データが記憶されている。
【００１８】
１０４はＩｎｔｅｒｎｅｔ回線網であり、前記１０３のサーバなどが接続され、前記１０３のサーバは１０４のＩｎｔｅｒｎｅｔ回線網を経由して外部より画像の電子データを要求されると、内部に記憶されている画像の電子データを、１０４のＩｎｔｅｒｎｅｔ回線網を介して送信することが可能である。２００は複合機であり、原稿を読み取り画像データを紙などの記録媒体へ記憶することが可能である。
【００１９】
図２は、複合機２００の内部ブロック図である。
【００２０】
複合機２００は、原稿画像を読み取るイメージリーダ部２０１と、イメージリーダ部２０１で読み取った画像データを再現するプリンタ部２０２とに大きく分けられる。
【００２１】
イメージリーダ部２０１は、６００ｄｐｉ（ｄｏｔｓ／ｉｎｃｈ）の解像度で原稿を読み取り、デジタル信号処理を行う部分である。
【００２２】
プリンタ部２０２は、イメージリーダ部２０１によって読み取られた原稿画像に対応した画像を、１２００ｄｐｉの解像度で指定用紙にフルカラープリント出力する部分である。
【００２３】
イメージリーダ部２０１において、２２７は自動原稿給紙ユニット（ＡＤＦ）である。自動原稿給紙ユニットにはさまざまなタイプがあるが、本実施例では積載された原稿束から原稿を先頭順に１枚ずつ原稿台ガラス（プラテン）２０３上へ給送し、読み取り位置で一旦停止させる。
【００２４】
原稿の読み取り動作終了後、原稿台ガラス２０３上の原稿を排出し、上記原稿束の末尾に戻す循環型の場合を説明する。
【００２５】
原稿台ガラス２０３上の原稿２０４は、ランプ２０５で照射され、ミラー２０６、２０７、２０８に導かれ、レンズ２０９によって、集光された光を電気信号に変換する３ラインセンサ（以下、ＣＣＤ）２１０上に像を結び、フルカラー情報レツド（Ｒ）、グリーン（Ｇ）、ブルー（Ｂ）成分として信号処理部２１１に送られる。
【００２６】
なお、２０５、２０６を固定しているキャリッジは速度ｖで、２０７、２０８は速度１／２ｖでラインセンサの電気的走査（主走査）方向に対して垂直方向に機械的に動くことによって、原稿全面を走査（副走査）する。読み取られた画像は、不図示のメモリ内部に格納されていく。
【００２７】
次にメモリ内部から再び画像データが読みだされ、信号処理部２１１においては、読み取られた画像信号を電気的に処理し、マゼンタ（Ｍ）、シアン（Ｃ）、イエロー（Ｙ）、ブラツク（Ｂｋ）の各成分に分解し、プリンタ部２０２に送る。
【００２８】
また、イメージリーダ部２０１における一回の原稿走査につき、Ｍ、Ｃ、Ｙ、Ｂｋのうちひとつの成分がプリンタ部２０２に送られ、計４回の原稿走査によって、一回のプリントアウトが完成する。
【００２９】
イメージリーダ部２０１より送られてくるＭ、Ｃ、Ｙ、Ｂｋの各画像信号は、レーザドライバ２１２に送られる。レーザドライバ２１２は、送られてきた画像信号に応じ、半導体レーザ２１３を変調駆動する。レーザ光は、ポリゴンミラー２１４、ｆ−θレンズ２１５、ミラー２１６を介し、感光ドラム２１７上を走査する。
【００３０】
２１８は回転現像器であり、マゼンタ現像部２１９、シアン現像部２２０、イエロー現像部２２１、ブラツク現像部２２２より構成され、４つの現像部が交互に感光ドラム２１７に接し、感光ドラム上に形成された潜像現像をトナーで現像する。
【００３１】
２２３は転写ドラムであり、用紙カセット２２４または２２５より供給される用紙をこの転写ドラム２２３に巻き付け、感光ドラム上に現像された像を用紙に転写する。この様にして、Ｍ、Ｃ、Ｙ、Ｂｋの４色が順次転写された後に、用紙は定着ユニット２２６を通過して、トナーが用紙に定着された後に排紙される。
【００３２】
また、上記原稿給紙ユニット２２７は後述するＲＦ−ＩＤリーダ／ライタ部（不図示）を備えており、原稿の読み取り時に原稿に内蔵されたＲＦ−ＩＤタグ（ＩＣタグ）に対する情報の読み書きを行う機能を有する。
【００３３】
図３は前記複合機における、紙などの記録媒体に印字を行うプリンタ部の電気信号を処理する部分の構成を詳細に示したものである。
【００３４】
３０１はＣＰＵで、プリンタの各部の制御を行うためのものである。３０２はＲＡＭであり前記ＣＰＵが演算した結果や、プリンタが扱う画像データなどを一時的に記憶しておくためのものである。３０３はＲＯＭであり、前記ＣＰＵが動作するためのプログラムや、画像データを生成するためのフォントデータなどが格納されている。３０４は、前記ＣＰＵ、ＲＡＭ、ＲＯＭが接続されているローカルバスである。３０５はＩ／Ｏバスであり、機能拡張用の内部Ｂｕｓ（バス）である。３０６は前記ローカルバスとＩ／Ｏバスを接続するためのブリッジ回路である。
【００３５】
３０７はプリンタ部で、紙などの記録媒体に画像を形成するための部分である。電子写真方式やインクジェット方式など様々な形式のプリンタ部が存在する。３０８はプリンタインターフェース部であり、前記プリンタ部とＩ／Ｏバスを接続するためのものであり、ＣＰＵの指示に従ってＲＡＭ３０２に格納されている画像データを３０７のプリンタ部へ転送することが可能である。
【００３６】
３０９はハードディスクドライブであり、画像データのスプールを行ったり、ＣＰＵ３０１が様々の処理を行うためのプログラムなどを格納させておくためのものである。３１１はネットワークインターフェースコントローラであり、図１の１４に示したローカルエリアネットワークへ接続するために使用される。３１２は、イメージプロセッシングユニット（ＩＰＵ）であり、解像度変換などの画像処理を行うためのものである。
【００３７】
３１３はラスタイメージプロセッサであり、ＣＰＵ３０１の指示により、ネットワークインターフェース回路３１１を経由して外部から転送されたページ記述言語の画像データをビットマップ画像へ展開し、ＲＡＭ３０２へ展開したビットマップデータを格納するために使用される。３１４はビデオＲＡＭで、ＣＰＵにより外部のＣＲＴやＬＣＤパネルに表示した表示データが書き込まれるものである。３１５はビデオインタフェースであり、ＶＲＡＭに格納されている表示データを外部のＣＲＴやＬＣＤパネルに表示するためのインタフェースをするためのものである。３１６は拡張Ｉ／Ｏインタフェースであり、たとえば携帯機器などとＣＰＵ３０１が通信などを行うためのインタフェース回路である。
【００３８】
通信形態はシリアル通信や、バイセントロインタフェース、またはＢｌｕｅｔｏｏｔｈなどの無線通信などの形式がある。５００はＲＦ−ＩＤリーダ／ライタ部であり、後述するＲＦ−ＩＤに対して無線通信によりデータを読み書きするためのものである。
【００３９】
図４は前記複合機における、スキャナ部の電気信号を処理する部分の構成を詳細に示したものである。
【００４０】
４０１はＣＰＵで、スキャナの各部の制御を行うためのものである。４０２はＲＡＭであり前記ＣＰＵが演算した結果や、スキャナが読み込んだ画像データなどを一時的に記憶しておくためのものである。４０３はＲＯＭであり、前記ＣＰＵが動作するためのプログラムなどが格納されている。４０４は、前記ＣＰＵ、ＲＡＭ、ＲＯＭが接続されているローカルバスである。４０５はＩ／Ｏバスであり、機能拡張用の内部Ｂｕｓ（バス）である。４０６は前記ローカルバスとＩ／Ｏバスを接続するためのブリッジ回路である。
【００４１】
４０７はスキャナ部で、不図示の原稿台に置かれた原稿から読み取った光学的な信号を、ＣＣＤなどを用いて電子データに変換し、その電子データを転送するための部分である。４０８はスキャナインタフェース部であり、前記スキャナ部とＩ／Ｏバスを接続するためのものであり、ＣＰＵの指示に従って、前記スキャナから転送される原稿を読み取った電子データを、４０２のＲＡＭに転送することが可能である。
【００４２】
４１０はネットワークインタフェースコントローラであり、図１の１４に示したローカルエリアネットワークへ接続するために使用される。４０９は、イメージプロセッシングユニット（ＩＰＵ）であり、解像度変換などの画像処理を行うためのものである。
【００４３】
４１１は拡張Ｉ／Ｏインタフェースであり、たとえば携帯機器などとＣＰＵ４０１が通信などを行うためのインタフェース回路である。通信形態はシリアル通信や、バイセントロインタフェース、またはＢｌｕｅｔｏｏｔｈなどの無線通信などの形式がある。
【００４４】
５００はＲＦ−ＩＤリーダ／ライタ部であり、後述するＲＦ−ＩＤタグ（ＩＣタグ）に対して無線通信によりデータを読み書きするためのものである。
【００４５】
図５はＲＦ−ＩＤリーダ／ライタ部５００の、図６はＩＣタグ６００の内部ブロック図である。
【００４６】
以下、図を参照して原稿読み取り部に取り付けられたＩＣタグの読み取り、または書き込みを行うためのリーダ／ライタ部５００の詳細な説明を行う。
【００４７】
リーダ／ライタ部５００は、ＩＣタグ６００に対して電波を送信するための送信アンテナ部５０１と、送信アンテナから送信する電波の変調を行うための変調回路５０２と、ＩＣタグ６００から送られてくる電波を受信するための受信アンテナ部５０３、受信アンテナ部５０３より受信した信号を復調するための復調回路５０４、また送信アンテナ部５０１と、５０２の変調回路、５０３の受信アンテナ部、復調回路５０４を制御するための制御部５０５と、上位機器との通信を行うＩ／Ｆ部５０６と、送信アンテナ部５０１に接続され、ＩＣタグ６００への電力供給を行う電源５０７から構成される。
【００４８】
前記制御部５０５は、外部からの指示により変調回路５０２を用いて電力を供給するための電波および、送信するデータを変調して、送信アンテナ部５０１より外部へ電波を送信する。また、外部より受信した電波信号を、受信アンテナ部５０３で受信して、復調回路５０４によって復調したのち、データ信号として扱えるように変換することが可能である。
【００４９】
上記のＲＦ−ＩＤリーダ／ライタ部５００は前記上記原稿給紙ユニット２２７内の、原稿台ガラス２０３上で原稿が読み取り位置で一時停止した時に原稿内のＩＣタグと通信を行うのに最適な位置に配設されている。
【００５０】
次に図６を参照してＩＣタグ６００の詳細な説明を行う。
【００５１】
ＩＣタグ６００は、不揮発性メモリ６０１、電波を送受信するためのアンテナ部６０２と、共振コンデンサ部６０３、電源の整流・平滑を行うための電力形成部６０４と、電波の変調、復調を行うための復変調部６０５、制御部６０６とから構成される。
【００５２】
アンテナ部６０２は、共振コンデンサ６０３と組み合わされ、共振回路を構成できるようになっている。外部から電力を供給するための電波信号が送られることにより、これを共振回路で受け取って、前記電力形成部６０４に示される電力形成部へ供給し、電力生成部６０４はＩＣタグ６００を動作させるための電力を供給することが可能となる。前記電力は、不揮発性メモリ６０１や、復変調回路６０５へ供給される。制御部６０６は、ＩＣタグ６００の制御を行うためのものである。
【００５３】
外部から、電力を供給するための電波とあわせて、ＩＣタグから読み出す、または書き着込むためのデータも同時に送受信され、ＩＣタグ６００へ送られてきた信号は、復変調回路６０５によって、復調され制御部６０６を介して、不揮発性メモリ６０１へ記憶される。また、制御部６０６によって、不揮発性メモリ６０１から読み出されたデータは、復変調回路６０５によって変調され、アンテナ部６０２から電波信号として送信可能である。
【００５４】
次に複数の原稿を読み取る際の動作を、図７のフローチャートを用いて詳細に説明を行う。
【００５５】
図７のフローチャートは、スキャナ部のＣＰＵ４０１の動作を示したフローチャートである。
【００５６】
まずＳ７０１に示すように、ユーザが不図示の複写機のコピー動作開始ボタンを押下し、原稿の読み取り動作を指示するまで、ＣＰＵ４０１は待機している。次にユーザがコピー動作開始ボタンを押下し、原稿の読み取り動作を指示すると、ＣＰＵ４０１はＳ７０２において、図４のスキャナＩ／Ｆ４０８を介してスキャナ４０７に指示を送り、図２の２２７に示される原稿給紙ユニットに置かれた原稿を１枚引き抜き、図２の２０３に示される原稿台の読み取り位置に原稿を給紙する。次にＳ７０３においてＣＰＵ４０１は図２のランプ２０５を点灯させ、原稿を光学的にスキャンし、図４のＲＡＭ４０２へ電子データとして順次記憶させていく。
【００５７】
次にＳ７０４においてＩＣタグへのアクセス処理を行う。ＣＰＵ４０１は、拡張Ｉ／Ｏインタフェース４１１に接続されているＩＣタグ読み取りのためのリーダ／ライタ５００に対して、原稿に付加されていると思われるＩＣタグに対して内部のメモリへアクセスするためにリード要求を行う。仮にリード要求を行ったにも関わらず、原稿にＩＣタグが取り付けられていない場合、Ｓ７５１において原稿から応答が返されないため、ＣＰＵ４０１はある所定の時間を経過しても原稿から応答が返ってこないことにより、原稿にＩＣタグが付加されていないと判定を行う。Ｓ７５２において、原稿にＩＣタグが付加されていないと判定された場合は、そのまま処理を抜ける。
【００５８】
一方、Ｓ７５２において、原稿に付加されているＩＣタグより応答が返された場合は、ＣＰＵ４０１は、原稿にＩＣタグが付加されていると判定し、続いてＳ７５３で図５に示されるリーダ／ライタ部を介して、原稿に付加されているＩＣタグ６００へアクセスし、６０１に示される不揮発性メモリに記憶されている情報を読み取る。
【００５９】
不揮発性メモリに記憶されている情報は、原稿を特定するために原稿ごとに割り当てられたシリアルの番号であったり、未読／既読のフラグ情報であったり、また原稿を以前にプリンタで作成した際に、ホストコンピュータなどの指示により、画像形成の元となった電子データを格納してあるインターネット回線網上のＵＲＬである場合などがある。更に読み出された情報に応じてＩＣタグへ情報の書き込みを行う場合もある。
【００６０】
続いてＳ７０５においてＳ７０３で開始された原稿のスキャンが完了したらＳ７０６で原稿を原稿台の読み取り位置から排出する。
【００６１】
これに続いてＳ７０７ではＳ７０４で開始されたＩＣタグへのアクセス処理が完了しているか否かを判定し、完了していれば、Ｓ７０８にてＣＰＵ４０１は、原稿給紙ユニットに置かれた全ての原稿を読み取ったか否かを判定し、原稿給紙ユニットにあるセンサにて全ての原稿を読み取ったことを検出するまで、上記動作を繰り返す。
【００６２】
ＲＡＭ４０２に蓄えられた画像データは、印刷動作の場合は図３に示されるプリンタ部へ送られ、３０７のプリンタ部にて紙などの記録媒体へ画像を形成され、出力される。この際、読み取ったＩＣタグの情報の内容によってはプリンタの記録用紙に内蔵されているＩＣタグに対して図３のＲＦ−ＩＤリーダ／ライタ５００により情報の読み書きも行われる。
【００６３】
一方、Ｓ７０７ではＳ７０４で開始されたＩＣタグへのアクセス処理が完了していない場合はリトライ処理に移行する。まずＳ７０９でリトライ動作が予め定められている所定回数（例えば３回）行われたかどうか判断する。ここで所定回数のリトライが行われていない場合はＳ７１０にて原稿は一旦原稿給紙ユニット上の原稿束の最後尾に戻され、その位置から空送りを行うことによって再び読み取り開始位置まで運ばれる。
【００６４】
そしてＳ７１１では次の原稿の原稿読み取りの際の読み取り位置での静止時間が所定時間増加された上でＳ７０２に戻り、原稿のスキャン及びＩＣタグの情報の再アクセスが行われる。ここで光学的スキャンによるイメージ情報が既に保存されていて再スキャンの必要が無い場合は、リトライの際はＩＣタグへの再アクセス処理だけとしても良い。
【００６５】
一方、Ｓ７０９でリトライ動作が予め定められている所定回数行われたと判断された場合はエラーとしてＳ７１２においてＩＣタグ情報の読み書きが完了できなかったことを通知するエラーメッセージを表示して、処理をＳ７０２へ移行する。
【００６６】
以上説明したように、自動原稿読み取り装置による原稿スキャンと同時に原稿に付加されたＩＣタグの情報を利用する際、通常の読み取り速度でＩＣタグへのアクセスが失敗した場合でも、読み取り速度（原稿の静止時間）を増やして再読込を行うことにより、正しい動作を保証でき、失敗による無駄も防止できる。
【実施例２】
【００６７】
前記実施例１では原稿を原稿台上で一時静止させて読み取り、コピーを行う場合を説明したが、本実施例では原稿を停止させずにスキャン動作だけを高速に行う、いわゆる流し読みを行う場合について説明する。
【００６８】
以下、流し読みモードで原稿を読み取る際の動作を、図８のフローチャートを用いて詳細に説明を行う。
【００６９】
まずＳ８０１でユーザが不図示のスキャン動作開始ボタンを押下し、原稿の読み取り動作を指示するまで、ＣＰＵ４０１は待機している。次にユーザがスキャン動作開始ボタンを押下し、原稿の読み取り動作を指示すると、ＣＰＵ４０１はＳ８０２において、図４のスキャナＩ／Ｆ４０８を介してスキャナ４０７に指示を送り、図２の２２７に示される原稿給紙ユニットに置かれた原稿を１枚引き抜き、図２の２０３に示される原稿台の読み取り位置に原稿を給紙する。
【００７０】
次にＳ８０３においてＣＰＵ４０１は図２のランプ２０５を点灯させ、原稿を光学的にスキャンし、図４のＲＡＭ４０２へ電子データとして順次記憶させていく。
【００７１】
次にＳ８０４においてＩＣタグへのアクセス処理を行う。ＣＰＵ４０１は、拡張Ｉ／Ｏインタフェース４１１に接続されているＩＣタグ読み取りのためのリーダ／ライタ５００に対して、原稿に付加されていると思われるＩＣタグに対して内部のメモリへアクセスするためにリード要求を行う。
【００７２】
仮にリード要求を行ったにも関わらず、原稿にＩＣタグが取り付けられていない場合、Ｓ８５１において原稿から応答が返されないため、ＣＰＵ４０１はある所定の時間を経過しても原稿から応答が返ってこないことにより、原稿にＩＣタグが付加されていないと判定を行う。Ｓ８５２において、原稿にＩＣタグが付加されていないと判定された場合は、そのまま処理を抜ける。
【００７３】
一方、Ｓ８５２において、原稿に付加されているＩＣタグより応答が返された場合は、ＣＰＵ４０１は、原稿にＩＣタグが付加されていると判定し、続いてＳ８５３で図５に示されるリーダ／ライタ部を介して、原稿に付加されているＩＣタグ６００へアクセスし、６０１に示される不揮発性メモリに記憶されている情報を読み取り、必要に情報に応じてＩＣタグへ情報の書き込みを行う。
【００７４】
続いてＳ８０５においてＳ８０３で開始された原稿のスキャンが完了したらＳ８０６で原稿を原稿台の読み取り位置から排出する。
【００７５】
これに続いてＳ８０７ではＳ８０４で開始されたＩＣタグへのアクセス処理が完了しているか否かを判定し、完了していれば、Ｓ８０８にてＣＰＵ４０１は、原稿給紙ユニットに置かれた全ての原稿を読み取ったか否かを判定し、原稿給紙ユニットにあるセンサにて全ての原稿を読み取ったことを検出するまで、上記動作を繰り返す。ＲＡＭ４０２に蓄えられた画像データは、順次図３のハードディスク３０９に格納される。
【００７６】
一方、Ｓ８０７ではＳ８０４で開始されたＩＣタグへのアクセス処理が完了していない場合はリトライ処理に移行する。
【００７７】
まずＳ８０９でリトライ動作が予め定められている所定回数（例えば３回）行われたかどうか判断する。ここで所定回数のリトライが行われていない場合はＳ８１０にて原稿は一旦原稿給紙ユニット上の原稿束の最後尾に戻され、その位置から空送りを行うことによって再び読み取り開始位置まで運ばれる。そしてＳ８１１では原稿の搬送速度を低下する処理がなされた上でＳ８０２に戻り、原稿のスキャン及びＩＣタグの情報の再アクセスが行われる。
【００７８】
上記リトライ処理においては、Ｓ８１１で原稿の搬送速度を低下するだけでは不十分な場合は例えばアクセス処理のために一時的に原稿を停止するようにしてもよい。
【００７９】
一方、Ｓ８０９でリトライ動作が予め定められている所定回数行われたと判断された場合はエラーとしてＳ８１２においてＩＣタグ情報の読み書きが完了できなかったことを通知するエラーメッセージを表示して、処理をＳ８０２へ移行する。
本実施例によれば流し読みの際にも原稿の搬送速度を落とすことによってリトライ処理を行うことが出来る。
【図面の簡単な説明】
【００８０】
【図１】本発明の画像処理システムの構成を概略的に示したブロック図
【図２】複合機の内部を詳しく表したブロック図
【図３】プリンタコントローラ内部の表したブロック図
【図４】スキャナコントローラ内部のブロック図
【図５】ＲＦ−ＩＤリーダ／ライタ部の内部を詳しく表したブロック図
【図６】ＲＦ−ＩＤ内部を詳しく表したブロック図
【図７】実施例１の画像読み取りの手順を示すフローチャート
【図８】実施例２の画像読み取りの手順を示すフローチャート
【符号の説明】
【００８１】
２００  複合機
２０１  イメージリーダ部
２０２  プリンタ部
５００  ＲＦ−ＩＤリーダ／ライタ部
６００  ＲＦ−ＩＤタグ（ＩＣタグ）
【図２】
2006173902.tif 000003
【図３】
2006173902.tif 000004
【図４】
2006173902.tif 000005
【図５】
2006173902.tif 000006
【図６】
2006173902.tif 000007
【図７】
2006173902.tif 000008
【図８】
2006173902.tif 000009
【図１】
2006173902.tif 000010